(57)【要約】【課題】デジタルカメラに無線通信用のアンテナを内蔵する場合に、人体の影響を受けにくく、安定した無線通信を可能にする場所にアンテナを配置すること。【解決手段】内部ストロボを有している撮像装置において、アンテナをポップアップストロボに内部に配置する。ポップアップストロボ内部にアンテナを配置することにより、無線通信時にアンテナが外部に突出した状態になるため、人の手に隠れず、更に、筐体の影響を受けにくくなるため、安定した通信が可能となる。【選択図】図３
2006050039.tif 000002
【特許請求の範囲】
【請求項１】
外部装置と無線信号を送受信するためのアンテナと無線信号を処理するための無線処理部と収納位置と突出位置へ移動可能な閃光発光装置を有する撮像装置において、
前記アンテナが前記撮像装置の閃光発光装置内部に配置されていることを特徴とする撮像装置。
【請求項２】
前記閃光発光装置が閃光発光時及び無線通信時に突出位置へ移動することを特徴とする請求項１記載の撮像装置。
【請求項３】
前記閃光発光装置が電源ＯＮ時に突出位置へ移動することを特徴とする請求項１記載の撮像装置。
【発明の詳細な説明】
【技術分野】
【０００１】
本発明は、撮像装置に無線通信のためのアンテナを内蔵する際のアンテナ配置に関する発明である。
【背景技術】
【０００２】
近年、パソコンや周辺機器のワイヤレス化の進行に伴い、デジタルカメラのような携帯電子機器への無線ＬＡＮやＢｕｌｅｔｏｏｔｈの搭載が望まれている。無線ＬＡＮやＢｌｕｅｔｏｏｔｈを電子機器に搭載する場合、アンテナの配置が問題となり、アンテナを電子機器に内蔵する場合には様々な制約がある。先ず、アンテナ周辺に金属があるとアンテナの無線信号が妨げられ、安定した通信を行うことができない。そのため、アンテナ周辺の部材を非金属材料にする必要がある。又、人体が無線信号の電波を吸収してしまうため、人体が触れない場所が望ましい。更に、アンテナの周辺は障害物が少ないことが望ましく、アンテナを電子機器から突起させた方がアンテナの放射特性が良くなることが知られている。
【０００３】
一方、電子機器は、対衝撃や電磁波をシールドするため、金属筐体を用いるケースが増えている。又、電磁波をシールドすることのできない非金属筐体の電子機器においても、不要輻射を抑えるために、非金属筐体に金属メッキ或は金属塗装を行う場合が多い。更に、携帯電子機器の場合、使用時や携帯時の破損防止、収納性向上、デザイン性の問題から不要な突起物はなるべく避ける構造にすることが望まれている。このような電子機器に無線通信のためのアンテナを搭載するために、特許文献１のようなアンテナ周辺部の部材を金属から非金属にする方法が知られている。更に、特許文献２では、無線使用時にポップアップするポップアップアンテナを使用する方法が提案されている。
【０００４】
【特許文献１】特開２００２−０３２１５０号公報（第１８頁、図４４）
【特許文献２】特開２００３−１２４７２２号公報（第５頁、図２）
【発明の開示】
【発明が解決しようとする課題】
【０００５】
金属筐体において、アンテナが存在する部分のみ非金属材料を使用する方法は、部品数が増えるため、組み立て性の問題、製造コストの問題、２種類の材料を使っていることによるデザイン性の問題が考えられ、更に、非金属の部分が大きくなる場合には、電磁波をシールドできないという問題が生じる可能性がある。
【０００６】
一方、ポップアップアンテナを搭載し、使用時のみアンテナをポップアップする方法は、電子機器に新たにポップアップする機構を付け加えなければならないため、コストアップの要因となってしまう。
【０００７】
そのため、本発明は、電子機器にアンテナを配置する際、新たに機構を追加することなく安定した無線通信が可能なアンテナ配置を実現することができる撮像装置を提供することにある。
【課題を解決するための手段】
【０００８】
上記目的を達成するため、請求項１記載の発明は、外部装置と無線信号を送受信するためのアンテナと無線信号を処理するための無線処理部と収納位置と突出位置へ移動可能な閃光発光装置を有する撮像装置において、前記アンテナが前記撮像装置の閃光発光装置内部に配置されていることを特徴とする。
【０００９】
請求項２記載の発明は、請求項１記載の発明において、前記閃光発光装置が閃光発光時及び無線通信時に突出位置へ移動することを特徴とする。
【００１０】
請求項３記載の発明は、請求項１記載の発明において、前記閃光発光装置が電源ＯＮ時に突出位置へ移動することを特徴とする。
【発明の効果】
【００１１】
請求項１記載の発明によれば、ポップアップストロボ内部にアンテナを配置することは、アンテナが外部に突出した状態になるため、人の手に隠れず、更に、筐体の影響を受けにくくなるため、安定した通信が可能となる。
【００１２】
デジタルカメラのような電子機器の場合、使用時や搬送時の破損防止、収納性向上のためには、表面の突起物を出来るだけ減らした構造にすることが望まれている。
【００１３】
請求項２及び請求項３記載の発明によれば、アンテナを配置したポップアップストロボがストロボ発光時と無線通信時のみポップアップし、その他の状態でカメラに収納するような構造や電源ＯＮ時にポップアップし、電源ＯＦＦ時にカメラに収納するような構造になっている場合、搬送時の破損や収納性の悪化を回避することが可能となる。
【発明を実施するための最良の形態】
【００１４】
以下に本発明の実施の形態を添付図面に基づいて説明する。
【００１５】
図１は本実施の形態で用いるデジタルカメラ１の外観図である。本実施の形態で用いるデジタルカメラ１は、シャッターを切るためのレリーズボタン２、撮影する範囲の確認を行うためのファインダ３、暗い所での撮影を補助するためのストロボ４、光学系の処理を行うためのレンズ、鏡筒ユニット５、撮影画像、メニュー設定画面等を表示するためのＬＣＤ（Ｌｉｑｕｉｄ  Ｃｒｙｓｔａｌ  Ｄｉｓｐｌａｙ）６、各種機能を設定するための機能設定ボタン７を備えている。又、本実施の形態で使用するストロボは、ポップアップストロボ４であり、ストロボ発光時にポップアップする（図２参照）。
【００１６】
本発明では、無線通信のために必要なアンテナをストロボに併設し、ポップアップストロボユニット内部に設置する（図３参照）。本実施の形態で使用するアンテナとしては、チップアンテナ８を用いた。チップアンテナ８は、アンテナ内部に誘電体を入れることにより、アンテナの小型化が可能であり、デジタルカメラのような小型電子機器への適用に優れている。チップアンテナ８を備えたポップアップストロボ４は、ストロボ発光時に加え、無線通信時にもポップアップする。ストロボがポップアップすることにより、アンテナがデジタルカメラの筐体外部に突出した状態になるため、筐体の影響を受けずに無線通信を行うことが可能となる。更に、アンテナから放射する電波は、人体により吸収されてしまうため、アンテナの配置は人体が触れないところが望ましい。それに対し、本実施の形態で使用するアンテナは、ポップアップストロボ４内に配置され、無線使用時には、ポップアップし筐体外部に突出するため人の手により覆われることがなく人体の影響を受けにくい。
【００１７】
本実施の形態で示した無線通信機能を搭載したデジタルカメラのブロック図を図３に示す。
【００１８】
図示するようにデジタルカメラ１には、撮像部１０、撮像信号処理部２０、制御部３０、操作部４０、表示部５０、無線通信部６０が設けられている。
【００１９】
撮像部１０は、フォーカスレンズやズームレンズ等の撮影レンズ１１とＣＣＤ１２から成り、撮影レンズ１１を通過した被写体象がＣＣＤ１２の受光面上に結像し、結像した被写体の光量に応じ、電荷が蓄積される。撮像部１０は、更にファインダ３とポップアップストロボ４を有しており、ファインダ３では、撮影する範囲の確認を行うことができ、ポップアップストロボ４は、ストロボ発光時にポップアップし、コンデンサに蓄えられたエネルギーが放電管に供給されたときに発光することで機能する。更に、ポップアップストロボ４には、チップアンテナ８が配置されており、無線通信時においてもポップアップする。
【００２０】
撮像信号処理部２０では、ＣＣＤ１２から出力されたアナログ信号を、Ｒ、Ｇ、Ｂ成分に分解し、ホワイトバランスが調整される。更に、撮像信号処理部２０では、ガンマ補正を行い、必要なタイミングでＲ、Ｇ、Ｂ信号を順じＡ／Ｄ変換し、得られたデジタル画像データを制御部４０に出力する。
【００２１】
制御部３０は、ＣＰＵ３１とメモリ制御部３２から成る。ＣＰＵ３１は、操作部４０からの入力に基づいてデジタルカメラ内の回路各部を統括制御する。ストロボ発光時及び無線通信時のストロボのポップアップや無線による通信か有線による通信かの制御も行う。メモリ制御部３２は、不揮発性メモリとメインメモリを制御する。不揮発性メモリには、ユーザによる設定情報や出荷時の調整値等、デジタルカメラの電源がＯＦＦの間も保持すべきデータが格納されている。メインメモリには、撮像信号処理部２０から出力されたデータを格納するフレームメモリとしての機能、各種プログラムをロードするシステムメモリとしての機能、その他ワークエリアとしての機能を持つ。
【００２２】
操作部４０は、ユーザによるスイッチ操作を検出し制御部に制御信号を出力する。パワースイッチ４１は、デジタルカメラの電源ＯＮ／ＯＦＦを決める。レリーズボタン２は、半押しと全押しの２段階押し込み構造になっている。半押しで、ＡＦ及びＡＥをロックし、全押しで撮影画像の取り込みが行われる。ズームボタン４２は、ズームレンズの倍率を設定する。操作部４０では、これらのスイッチの他、回転モードダイヤルや十字キー等によるボタンを設定しても良く、機能設定ボタン７と称している。機能設定７ボタンで指定できる動作としては、ファイルフォーマット、特殊機能、決定／保存、表示切り替え、無線通信のための設定がある。
【００２３】
表示部５０は、ＬＣＤ５、ＬＣＤ駆動回路５１を備えている。ＬＣＤ６は、ＬＣＤ駆動回路５１により制御されることにより画像データを表示する他、無線通信を行うためのメニューや撮影時における設定画面を表示する。
【００２４】
無線通信部６０は、Ｂｌｕｅｔｏｏｔｈの規格に従って構成され、ベースバンド部６１、ＲＦ（Ｒａｄｉｏ  Ｓｐｅｃｉｆｉｃａｔｉｏｎ）部６２を備える。ベースバンド部６１は、ＤＳＰ（Ｄｉｇｉｔａｌ  Ｓｉｇｎａｌ  Ｐｒｏｃｅｓｓｅｒ）、マイクロコンピュータ、システムクロック等を備え、Ｂｌｕｅｔｏｏｔｈプロトコルのベースバンド層で規定された機能を実装しており、総置換の物理的なＲＦリンクを張る処理を行う。ＲＦ部６２は、Ｄ／Ａ変換部、変調器、復調器等を備え、ＢｌｕｅｔｏｏｔｈプロトコルのＲＦ層で規定された機能を実装しており、データの変復調処理を行う。このような処理をすることにより、アンテナ８を通じて外部装置とのデータのやり取りを行うことが可能になる。
【図面の簡単な説明】
【００２５】
【図１】本発明に係るデジタルカメラの斜視図である。
【図２】ポップアップ時のデジタルカメラの斜視図である。
【図３】本発明に係るデジタルカメラのアンテナ配置を示す斜視図である。
【図４】本発明に係るデジタルカメラの構成を示すブロック図である。
【符号の説明】
【００２６】
１  デジタルカメラ
２  レリーズボタン
３  ファインダー
４  ポップアップストロボ
５  レンズ、鏡筒ユニット
６  ＬＣＤ
７  機能設定ボタン
８  チップアンテナ
９  ストロボ周辺の拡大図
１０  撮像部
１１  撮影レンズ
１２  ＣＣＤ
２０  撮像信号処理部
３０  制御部
３１  ＣＰＵ
３２  メモリ制御部
４０  操作部
４１  パワーボタン
４２  ズームボタン
５０  表示部
５１  ＬＣＤ駆動回路
６０  無線通信部
６１  ベースバンド部
６２  ＲＦ部
【図１】
2006050039.tif 000003
【図２】
2006050039.tif 000004
【図３】
2006050039.tif 000005
【図４】
2006050039.tif 000006